【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
（ａ）少なくとも１０５の粘度指数を有し、および７．０ｍｍ２ｓ−１未満の１００℃における動粘度を有する潤滑粘度の油
（ｂ）０．０１から２重量パーセントの、次の構造式
【化５】
2012528924.tif 000001
（式中、ｎおよびｍは、独立に、１から５の整数であり、Ｘは、脂肪族または脂環式の基、あるいは炭素鎖中に酸素原子を含む脂肪族または脂環式の基、あるいは前述の種類の置換されている基であり、該基は、最大６個の炭素原子を含み、ｎ＋ｍ個の利用可能な結合点を有し、各Ｙは、独立に、−Ｏ−、＞ＮＨ、または＞ＮＲ１であるかあるいは２つのＹが一緒になって２つのカルボニル基の間に形成されるイミド構造Ｒ−Ｎ＜の窒素を表し、各ＲおよびＲ１は、少なくとも１つのＲまたはＲ１基がヒドロカルビル基であるという前提条件で、独立に、水素またはヒドロカルビル基であり、各Ｒ２は、少なくとも１つの−ＯＲ２基は−Ｃ（Ｏ）−Ｙ−Ｒ基の少なくとも１つに対してαまたはβの位置にあるＸの炭素原子に位置するというさらなる前提条件で、独立に、水素、ヒドロカルビル基またはアシル基である）
によって表される摩擦調整剤、
（ｃ）２から３５重量パーセントモノマー単位の（メタ）アクリル酸メチル、０から１０重量パーセントモノマー単位の１つ以上の（メタ）アクリル酸Ｃ２〜Ｃ６アルキル、５０から９７重量パーセントモノマー単位の１つ以上の（メタ）アクリル酸Ｃ８〜Ｃ３０アルキル、および０．５から１０重量パーセントモノマー単位の１つ以上の分散剤モノマーを含む、０．５から４重量パーセントのポリ（メタ）アクリレート粘度調整剤ポリマー、
（ｄ）油溶性モリブデン化合物の形の、重量で０から５００パーツパーミリオンのモリブデン、ならびに
（ｅ）油溶性ホウ素化合物の形の、重量で０から２００パーツパーミリオンのホウ素
を含む潤滑組成物。
【請求項２】
前記潤滑剤は、１５０℃において２．９ｍＰａ−ｓ未満の高せん断下粘度（ＡＳＴＭ
Ｄ４６８３）を有する、請求項１に記載の潤滑組成物。
【請求項３】
ｎおよびｍの少なくとも一方は１より大きい、請求項１または２に記載の潤滑組成物。
【請求項４】
前記摩擦調整剤は、酒石酸、クエン酸、リンゴ酸、またはグリコール酸の、エステル、アミド、またはイミドを含む、請求項１から３のいずれか１項に記載の潤滑組成物。
【請求項５】
前記摩擦調整剤は、タートレート、酒石酸アミド、または酒石酸イミドを含む、請求項１から４のいずれか１項に記載の潤滑組成物。
【請求項６】
前記摩擦調整剤は、オレイル酒石酸イミドまたはＣ１２〜１６アルキル酒石酸ジエステルを含む、請求項１から５のいずれか１項に記載の潤滑組成物。
【請求項７】
前記粘度調整剤は、１５から３５重量パーセントモノマー単位のメタクリル酸メチル、０から１０重量パーセントモノマー単位の１つ以上のメタクリル酸Ｃ２〜Ｃ６アルキル、５０から８４重量パーセントモノマー単位の１つ以上のメタクリル酸Ｃ１０〜Ｃ１６アルキル、および１から８重量パーセントモノマー単位の１つ以上の窒素含有メタクリル分散剤モノマーを含むポリメタクリレートポリマーであって、５０，０００から５００，０００の重量平均分子量を有するポリマーを含む、請求項１から６のいずれか１項に記載の潤滑組成物。
【請求項８】
前記粘度調整剤は、２００，０００から４５０，０００の重量平均分子量を有し、前記窒素含有メタクリルモノマーは、メタクリル酸ジメチルアミノエチルを含む、請求項７に記載の潤滑組成物。
【請求項９】
清浄剤、分散剤、酸化防止剤、リン含有亜鉛塩、流動点降下剤、および消泡剤からなる群から選ばれた少なくとも１つの追加の成分をさらに含む、請求項１から８のいずれか１項に記載の潤滑組成物。
【請求項１０】
内燃機関を潤滑化する方法であって、該内燃機関に請求項１から９のいずれか１項に記載の潤滑組成物を供給する工程を含む方法。
【請求項１１】
前記ポリ（メタ）アクリレート粘度調整剤ポリマー（ｃ）内の（メタ）アクリル酸メチルモノマー単位の量は、１５から３０重量パーセントである、請求項１から９のいずれか１項に記載の潤滑組成物。
【請求項１２】
前記ポリ（メタ）アクリレート粘度調整剤ポリマー（ｃ）は、２００，０００から１，０００，０００の重量平均分子量を有する、請求項１から９または１１のいずれか１項に記載の潤滑組成物。
【手続補正２】
【補正対象書類名】明細書
【補正対象項目名】０００３
【補正方法】変更
【補正の内容】
【０００３】
潤滑油が、摩耗、酸化、煤堆積および酸性蓄積から機械装置、例えば内燃機関を保護するために用いられる複数の添加剤（摩耗防止剤、酸化防止剤、分散剤、清浄剤等を含む）を含むことはよく知られている。機関潤滑油用の一般的な摩耗防止添加剤は、ジアルキルジチオリン酸亜鉛（ＺＤＤＰ）である。ＺＤＤＰ摩耗防止添加剤は、金属表面に保護膜を形成することによって機関を保護すると考えられる。ＺＤＤＰは、燃料経済および効率に対して有害な影響を及ぼし得ると考えられる。従って、機関潤滑剤は、燃料経済および効率に対するＺＤＤＰの潜在的な有害な影響を取り除くために摩擦調整剤も含む。ＺＤＤＰと摩擦調整剤との両方が滑動表面における吸着によって機能し、それぞれが互いのそれぞれの機能を妨げることがある。
【手続補正３】
【補正対象書類名】明細書
【補正対象項目名】００１９
【補正方法】変更
【補正の内容】
【００１９】
別の実施態様において、開示される技術は、内燃機関を潤滑化する方法を提供し、この方法は、該内燃機関に上記に記載されている潤滑組成物を供給することを含む。
例えば、本発明は以下の項目を提供する。
（項目１）
（ａ）少なくとも約１０５の粘度指数を有し、および約７．０ｍｍ２ｓ−１未満の１００℃における動粘度を有する潤滑粘度の油
（ｂ）約０．０１から約２重量パーセントの、次の構造式
【化５】
2012528924.tif 000002
（式中、ｎおよびｍは、独立に、１から５の整数であり、Ｘは、脂肪族または脂環式の基、あるいは炭素鎖中に酸素原子を含む脂肪族または脂環式の基、あるいは前述の種類の置換されている基であり、該基は、最大６個の炭素原子を含み、ｎ＋ｍ個の利用可能な結合点を有し、各Ｙは、独立に、−Ｏ−、＞ＮＨ、または＞ＮＲ１であるかあるいは２つのＹが一緒になって２つのカルボニル基の間に形成されるイミド構造Ｒ−Ｎ＜の窒素を表し、各ＲおよびＲ１は、少なくとも１つのＲまたはＲ１基がヒドロカルビル基であるという前提条件で、独立に、水素またはヒドロカルビル基であり、各Ｒ２は、少なくとも１つの−ＯＲ２基は−Ｃ（Ｏ）−Ｙ−Ｒ基の少なくとも１つに対してαまたはβの位置にあるＸの炭素原子に位置するというさらなる前提条件で、独立に、水素、ヒドロカルビル基またはアシル基である）
によって表される摩擦調整剤、
（ｃ）約２から約３５重量パーセントモノマー単位の（メタ）アクリル酸メチル、０から約１０重量パーセントモノマー単位の１つ以上の（メタ）アクリル酸Ｃ２〜Ｃ６アルキル、約５０から約９７重量パーセントモノマー単位の１つ以上の（メタ）アクリル酸Ｃ８〜Ｃ３０アルキル、および約０．５から約１０重量パーセントモノマー単位の１つ以上の分散剤モノマーを含む、約０．５から約４重量パーセントのポリ（メタ）アクリレート粘度調整剤ポリマー、
（ｄ）油溶性モリブデン化合物の形の、重量で０から約５００パーツパーミリオンのモリブデン、ならびに
（ｅ）油溶性ホウ素化合物の形の、重量で０から約２００パーツパーミリオンのホウ素を含む潤滑組成物。
（項目２）
前記潤滑剤は、１５０℃において約２．９ｍＰａ−ｓ未満の高せん断下粘度（ＡＳＴＭ
Ｄ４６８３）を有する、項目１に記載の潤滑組成物。
（項目３）
ｎおよびｍの少なくとも一方は１より大きい、項目１または２に記載の潤滑組成物。
（項目４）
前記摩擦調整剤は、酒石酸、クエン酸、リンゴ酸、またはグリコール酸のエステル、アミド、またはイミドを含む、項目１から３のいずれか１項に記載の潤滑組成物。
（項目５）
前記摩擦調整剤は、タートレート、酒石酸アミド、または酒石酸イミドを含む、項目１から４のいずれか１項に記載の潤滑組成物。
（項目６）
前記摩擦調整剤は、オレイル酒石酸イミドまたはＣ１２〜１６アルキル酒石酸ジエステルを含む、項目１から５のいずれか１項に記載の潤滑組成物。
（項目７）
前記粘度調整剤は、約１５から約３５重量パーセントモノマー単位のメタクリル酸メチル、０から約１０重量パーセントモノマー単位の１つ以上のメタクリル酸Ｃ２〜Ｃ６アルキル、約５０から約８４重量パーセントモノマー単位の１つ以上のメタクリル酸Ｃ１０〜Ｃ１６アルキル、および約１から約８重量パーセントモノマー単位の１つ以上の窒素含有メタクリル分散剤モノマーを含むポリメタクリレートポリマーであって、約５０，０００から約５００，０００の重量平均分子量を有するポリマーを含む、項目１から６のいずれか１項に記載の潤滑組成物。
（項目８）
前記粘度調整剤は、約２００，０００から約４５０，０００の重量平均分子量を有し、前記窒素含有メタクリルモノマーは、メタクリル酸ジメチルアミノエチルを含む、項目７に記載の潤滑組成物。
（項目９）
清浄剤、分散剤、酸化防止剤、リン含有亜鉛塩、流動点降下剤、および消泡剤からなる群から選ばれた少なくとも１つの追加の成分をさらに含む、項目１から８のいずれか１項に記載の潤滑組成物。
（項目１０）
内燃機関を潤滑化する方法であって、該内燃機関に項目１から９のいずれか１項に記載の潤滑組成物を供給する工程を含む方法。
【手続補正４】
【補正対象書類名】明細書
【補正対象項目名】００６４
【補正方法】変更
【補正の内容】
【００６４】
油溶性ホウ素化合物
本技術の潤滑剤は、油溶性ホウ素化合物の形のホウ素を含んでもよく除外してもよい。しかし、ホウ素の量は、重量で潤滑組成物の２００パーツパーミリオン未満、すなわち０から２００パーツパーミリオン、例えば１００または５０または１０または１パーツパーミリオン未満である。ホウ素の量についての下限は、０または０．０１または０．１または１パーツパーミリオンであってよい。特定の実施態様において、調合物は実質的にホウ素を含まず、ホウ酸化分散剤（下記に記載されている）を含まないかまたは実質的に含まなくてよい。組成物にホウ素を持ち込んでよい他の種類の化合物は、上記に記載されているホウ酸化無灰摩耗防止剤、ホウ酸化清浄剤、ホウ酸、およびホウ酸エステル、例えばホウ酸化エポキシドを含んでよい。
【手続補正５】
【補正対象書類名】明細書
【補正対象項目名】００６５
【補正方法】変更
【補正の内容】
【００６５】
他の機能添加剤
本組成物は、任意選択として、他の機能添加剤を含む。他の機能添加剤は、金属不活性化剤、粘度調整剤（上記に記載されている粘度調整剤以外）、清浄剤、摩擦調整剤（上記に記載されている摩擦調整剤以外）、摩耗防止剤（本明細書において上記に記載されている摩擦調整剤以外）、腐食抑制剤、分散剤、分散剤粘度調整剤、極圧添加剤、酸化防止剤（本発明の油溶性モリブデン化合物以外）、発泡防止剤（消泡剤）、解乳化剤、流動点降下剤、封止膨潤剤の少なくとも１つ、およびそれらの混合物を含む。通常は、完全に調合された潤滑油は、これらの機能添加剤の１つ以上を含む。
【手続補正６】
【補正対象書類名】明細書
【補正対象項目名】００６６
【補正方法】変更
【補正の内容】
【００６６】
一実施態様において、潤滑組成物は、酸化防止剤、過塩基性清浄剤、分散剤、例えばコハク酸イミド分散剤の少なくとも１つ、またはそれらの混合物をさらに含む。一実施態様において、潤滑組成物は、摩擦調整剤およびリン含有摩耗防止剤を含む。
【手続補正７】
【補正対象書類名】明細書
【補正対象項目名】００６７
【補正方法】変更
【補正の内容】
【００６７】
清浄剤
潤滑組成物は、任意選択として、中性または過塩基性清浄剤を含む。適当な清浄剤基質は、フェネート、硫黄含有フェネート、スルホネート、サリキサレート、サリチレート、カルボン酸、リン酸、モノ−および／またはジチオリン酸、アルキルフェノール、硫黄結合アルキルフェノール化合物、およびサリゲニンを含む。国際公開第２００４／０９６９５７号を含む多数の特許公報およびそれらに引用されている参考文献にさまざまな過塩基性清浄剤およびそれらの調製方法が詳細に記載されている。清浄剤基質は、通常は金属、例えばカルシウム、マグネシウム、カリウム、ナトリウム、またはそれらの混合物との塩となっており、酸性物質、例えば二酸化炭素でさらに処理して塩基の取込みを助け、それによって炭酸化物質を形成してよい。例は、過塩基性の炭酸化されたスルホン酸カルシウム清浄剤および過塩基性の炭酸化されたナトリウム清浄剤を含む。過塩基性清浄剤は、油含有基準で計算して（例えば約５０％の希釈油を含む市販材料として）１００から５００または２５０から４５０または３００から４００のアルカリ価を有してよい。清浄剤は、０重量％から１０重量％、または０．１重量％から８重量％、または０．４重量％から４重量％、または０．５から２重量％または０．６から１重量％（油を含まない基準）で存在してよい。